(57)【特許請求の範囲】
【請求項１】
給湯用の給湯用熱交換器と、浴槽湯水を加熱する風呂用熱交換器と、給湯温度や浴槽湯水温度の設定を変更できるリモコンと、該リモコンに設けた表示部と、該表示部を構成するタッチパネルと表示画面とからなるものであって、表示画面の一部をタッチすることにより希望する給湯温度を選択できるように表示画面に表示する給湯温度選択画面表示手段と、希望する給湯温度を直接に選択することにより給湯温度選択画面を消去する給湯温度選択画面消去手段と、変更後の給湯温度を表示画面に表示する給湯温度設定画面表示手段とを設け、前記給湯温度選択画面表示手段による表示は、最後に設定された設定画面の表示を中心としてその周辺に近接してドーナツ状に順次複数個の数値を昇順あるいは降順に配列し、かつ、他の表示とは明度差をつけて重ねて表示したことを特徴とする給湯風呂装置。
【請求項２】
給湯用の給湯用熱交換器と、浴槽湯水を加熱する風呂用熱交換器と、給湯温度や浴槽湯水温度の設定を変更できるリモコンと、該リモコンに設けた表示部と、該表示部を構成するタッチパネルと表示画面とからなるものであって、表示画面の一部をタッチすることにより希望する風呂温度を選択できるように表示画面に表示する風呂温度選択画面表示手段と、希望する風呂温度を直接に選択することにより風呂温度選択画面を消去する風呂温度選択画面消去手段と、変更後の風呂温度を表示画面に表示する風呂温度設定画面表示手段とを設け、前記風呂温度選択画面表示手段による表示は、最後に設定された設定画面の表示を中心としてその周辺に近接してドーナツ状に順次複数個の数値を昇順あるいは降順に配列し、かつ、他の表示とは明度差をつけて重ねて表示したことを特徴とする給湯風呂装置。
【発明の詳細な説明】
【０００１】
【発明の属する技術分野】
本発明はガス、石油を燃料とする給湯器の機能を風呂装置に付加した給湯風呂装置に関するものである。
【０００２】
【従来の技術】
従来、例えば、特許２７１０９９３号公報に示されるように、ガス機器の遠隔操作装置においてタッチパネルと液晶表示パネルとを設け、そのパネル上で例えば給湯や風呂の給湯温度の設定温度を変更する場合には、リモコンの表示画面の「給湯温度」のボタンを押すとともにアップダウンスイッチを操作することにより設定数字を変更させていた。
【０００３】
【発明が解決しようとする課題】
しかしながら、上記従来の装置においては、予め定められた設定温度の範囲を順次（例えば１℃ずつ）上げたり下げたりしなければならず、例えば現在の設定温度よりも３℃（３段階）上げたい場合には、アップスイッチを３回押さなければ希望の温度に変更できず、さらに設定が終了したのちにパネル上の「終了」ボタンを押さなければ初期画面に戻ることができず、操作が煩雑となっていた。
特に、希望する温度差が大きくなる場合にはスイッチを押す回数が増加し、また入浴者の好みにより頻雑に設定温度を変更するような場合には変更のための操作が煩雑となる問題があった。このことは給湯温度の設定に限られず、他の設定項目（例えば風呂設定温度、風呂湯量など）についても同様の問題点があり、早急なる技術的改善が望まれていた。
また、設定項目によっては、設定を行うための表示用の画面の階層が多段階となってしまうため、取扱い説明書を詳細に読まなければ設定変更のための操作が行えない等の問題点も有していた。
【０００４】
そこで、本発明は上記問題点に鑑み、設定温度等の変更時における操作性を改善し、操作の煩雑さを解決したものである。
【０００５】
【課題を解決するための手段】
上記目的を達成するために、本発明は、給湯用の給湯用熱交換器と、浴槽湯水を加熱する風呂用熱交換器と、給湯温度や浴槽湯水温度の設定を変更できるリモコンと、該リモコンに設けた表示部と、該表示部を構成するタッチパネルと表示画面とからなるものであって、表示画面の一部をタッチすることにより希望する給湯温度を選択できるように表示画面に表示する給湯温度選択画面表示手段と、希望する給湯温度を直接に選択することにより給湯温度選択画面を消去する給湯温度選択画面消去手段と、変更後の給湯温度を表示画面に表示する給湯温度設定画面表示手段とを設け、前記給湯温度選択画面表示手段による表示は、最後に設定された設定画面の表示を中心としてその周辺に近接してドーナツ状に順次複数個の数値を昇順あるいは降順に配列し、かつ、他の表示とは明度差をつけて重ねて表示したことを第１の特徴としている。
上記第１の特徴によれば、表示された選択画面の中から希望する給湯温度をワンクリックでダイレクトに選択できるのみならず、最後に設定された設定画面の表示を中心としてその周辺に近接してドーナツ状に順次複数個の数値を昇順あるいは降順に配列し、かつ、他の表示とは明度差をつけて重ねて表示したことにより、表示画面の中でどの部分を操作すればよいか、どう操作すればよいか等を直感的に把握することができて、選択できる情報を表示し易く、また選択し易くなって、操作性の向上を図ることができる。
【０００６】
さらに本発明は、給湯用の給湯用熱交換器と、浴槽湯水を加熱する風呂用熱交換器と、給湯温度や浴槽湯水温度の設定を変更できるリモコンと、該リモコンに設けた表示部と、該表示部を構成するタッチパネルと表示画面とからなるものであって、表示画面の一部をタッチすることにより希望する風呂温度を選択できるように表示画面に表示する風呂温度選択画面表示手段と、希望する風呂温度を直接に選択することにより風呂温度選択画面を消去する風呂温度選択画面消去手段と、変更後の風呂温度を表示画面に表示する風呂温度設定画面表示手段とを設け、前記風呂温度選択画面表示手段による表示は、最後に設定された設定画面の表示を中心としてその周辺に近接してドーナツ状に順次複数個の数値を昇順あるいは降順に配列し、かつ、他の表示とは明度差をつけて重ねて表示したことを第２の特徴としている。
上記第２の特徴によれば、表示された選択画面の中から希望する風呂温度をワンクリックでダイレクトに選択できるのみならず、最後に設定された設定画面の表示を中心としてその周辺に近接してドーナツ状に順次複数個の数値を昇順あるいは降順に配列し、かつ、他の表示とは明度差をつけて重ねて表示したことにより、表示画面の中でどの部分を操作すればよいか、どう操作すればよいか等を直感的に把握することができて、選択できる情報を表示し易く、また選択し易くなって、操作性の向上を図ることができる。
【０００７】
【発明の実施の形態】
以下、本発明の実施の形態について図面を参照しながら説明する。図１は本発明の給湯機能を有する風呂装置である給湯風呂装置の全体構成図である。図２は本発明の一実施形態を示すリモコンの表示画面である。図３は本発明の一実施形態を示す電気ブロック図である。
【０００８】
図１において、１は給湯風呂装置であり、その内部には給湯用熱交換器２、その下方に設けた給湯バーナ３、風呂用熱交換器４、その下方に設けた風呂バーナ５、制御用のコントローラ６を備えている。７は給湯風呂装置１を遠隔操作すると共に給湯温度・風呂温度・時刻・風呂湯量等の設定を変更できるようにしたリモコンである。このリモコン７には、操作用の画面等を表示する表示部８を設けてある。このリモコン７は浴室等遠隔の位置に設置してある。表示部８は、タッチパネル９と表示画面１０とから構成されている。３１は台所等に設置した第２のリモコンである。
【０００９】
３２は給湯用熱交換器２に至る入水管、１１は給湯用熱交換器２から給湯カランに至る出湯管である。入水管３２にはその上流側から通水量を検出する水量センサ１３および入水温度を検出する水温センサ１４を設けている。出湯管１１には給湯用熱交換器２により加熱された湯温を検出する感温部材としてのサーミスタ等からなる温度センサ１５、通水量を調節する水量調節弁１２を設けてある。
【００１０】
１６は給湯バーナ３に至るガス管であり、このガス管１６にはガス通路を開閉する駆動部材としての比例弁１７等を設けてある。１８は浴室に設けた浴槽、１９は浴槽１８と連結する風呂給湯装置１の循環路であり、この循環路１９には水流センサ２０、循環ポンプ２１、風呂温度センサ２７を設けてある。２２は出湯管１１から分岐して循環路１９に接続した給湯落し込み管であり、途中には電磁弁２３、注湯量センサ２６を設けてある。湯張りである浴槽への落し込みに際しては風呂の往き管と戻り管の片方あるいは両方を使用すれば良い。２４はガスバーナ５に至るガス通路２５に設けたガス電磁弁である。
【００１１】
浴槽１８の側面下部には循環金具２８が設けられており、浴槽内の水は循環金具２８を通って循環路１９に入り、風呂用熱交換器４に導かれて熱交換して加熱され、循環金具２８から浴槽１８に戻る。これによって浴槽１８の水が追焚き加熱される。
【００１２】
また、温度センサ１５、水量センサ１３の他各種センサからの検出信号に基づいて給湯風呂装置本体の状態をコントローラ６で判定するとともに、リモコン７からの制御信号に基づいて給湯風呂装置本体の各部（例えばガス電磁弁、ガス比例弁）の動作を制御するものである。
そして、例えば水量センサ１３が故障した場合には、故障の信号をコントローラ６のマイクロコンピュータに送るようになっている。図中２９は台所に設けられた給湯栓、３０は浴室に設けられた給湯栓である。さらに、給湯用熱交換器２及び風呂用熱交換器４に至る通路には強制送風用の送風ファン４０、４１を設けている。
【００１３】
図２は前記したリモコン７の表示部８の拡大図である。透明のタッチパネル９の下面にはほぼ同形状のＬＣＤ表示部からなる表示画面１０を積層している。そして、表示画面１０には少なくとも最新の給湯設定温度である変更後の給湯温度（例えば４２℃）、変更後の風呂温度（例えば４０℃）、現在時刻の表示を行うようになっている。また、表示画面にはその表示画面の一部をタッチすることにより画面を切り替えたり、また重ねて他の画面を表示したりするようになっている。３３はテレビスイッチ、３４はメニュースイッチである。装置への運転スイッチは別途に設けるようにすればよい。
【００１４】
図３は電気回路のブロック図であり、３５はリモコン７に内蔵したマイクロコンピュータ（以下マイコンという）である。このマイコン３５には給湯風呂装置の制御に必要なセンサ類、ガス・水弁、表示部を接続している他これらを駆動するソフトウエアとしてのプログラムを組込んである。
【００１５】
具体的には、給湯温度設定表示画面押圧検知手段３６は、シャワー等の給湯温度の設定状態を表示する画面（図２においては４２℃の部分）が人の手によってタッチされたか否かを検知して作動する手段である。この給湯温度設定表示画面押圧検知手段３６の作動により給湯温度を選択できる選択画面が表示されるようになっている。
【００１６】
次に、給湯温度選択画面表示手段３７は、例えば給湯温度の変更操作時において希望する給湯温度を選択できるように表示画面１０に表示する手段である。表示の具体例は図４に示すように、最後に設定された設定画面の表示（４２℃の部分）を中心として、これを取り囲むように、周辺に近接して複数個の数値情報を表示するようにしてある。本実施形態では、円形のドーナツ状としてドーナツ部に順次複数個の数値を昇順あるいは降順に配列している（符号Ａ部分）。円形に限られず楕円形状あるいは四角形状としてもよい。
【００１７】
また、この表示はメニュー表示や既に設定され表示された風呂温度表示等他の設定画面の表示の上に重ねて表示されることを特徴としている。例えば上記他の表示の上に浮かび上がるように、半透明状態で表示してあり、他の表示とは明度差をつけて表示している。他の表示方法として半透明に代えて色彩を変えて表示してもよい。
【００１８】
また、上記給湯温度選択画面表示手段３７による表示（符号Ａ部分）は、直接に変更可能な情報のすべて又は一部を表示することを推奨する。図４のものでは、給湯使用の際に通常使用される給湯温度である３７℃から１℃きざみで４７℃まで順次数値により表示して、その範囲内にある希望の数値を１つ手でタッチすることで、希望の給湯温度を直接に選択して設定できるようになっている。「直接に」とは直接的にの意味であり、同一平面画面上において一度に希望する温度の選択操作が完結することを意味するものである。これにより、選択操作が一度の操作で終わるので、操作性を向上できる。またパネルの表示画面の面積が大きい場合には、変更可能な情報のすべてを表示すればよく、また画面の面積が小さい場合にはその一部を表示するようにすればよい。給湯温度変更手段３８は、希望の給湯温度を直接に選択したときに、旧温度から新温度に設定の変更を行う手段である。以後シャワー等の給湯使用時には変更後の設定温度により出湯制御されることとなる。
【００１９】
また給湯温度設定画面表示手段３９は、シャワー等の給湯温度の変更を行った際にその変更後の温度を画面に表示する手段である。さらに給湯温度選択画面消去手段４２は、希望する給湯温度を直接に選択することにより給湯温度選択画面表示を消去する手段である。
【００２０】
次に、給湯温度の変更の操作について図５のフローチャートに基づき説明する。
まず運転スイッチを操作してマイコン３５を作動状態にしておく（ステップＳ１）。これによりリモコン８の表示画面１０に図２のように給湯温度等各種の情報が表示される。給湯温度情報は出荷当初においては例えば４０℃に固定しておいてもよい。そして給湯温度の設定を変更したい場合（ステップＳ２でイエスの場合）には、前記表示画面１０の給湯温度設定画面部（４２℃と表示されている部分）を指で軽くタッチすればよい（ステップＳ３）。これにより、給湯温度設定表示画面押圧検知手段３６が作動を開始して、給湯温度選択画面表示手段３７により、給湯温度を選択できる選択画面が図４のように表示される（ステップＳ４）。この表示は円形のドーナツ形状であり、ドーナツ部に順次複数個の数値を昇順に配列している（符号Ａ部分）。また、この表示はメニュー表示や既に設定され表示された風呂温度表示等他の設定画面の表示の上に重ねて表示され、他の表示の上に浮かび上がるように、半透明状態で表示している。そして上記給湯温度選択画面表示手段３７による表示（符号Ａ部分）は、直接に変更可能な情報のすべてを表示しており、給湯使用の際に通常使用される給湯温度である３７℃から順次に１℃きざみで４７℃まで１１段階の範囲において選択できるようになっている。その範囲内にある希望給湯温度の数値を１つ指でタッチすることで(ステップＳ５でイエスの場合)、希望の給湯温度を直接に選択して設定できるようになっている。直接的な操作により、選択操作が一度の押し操作で終わるので、操作性を向上できる。
【００２１】
そして、希望の給湯温度を直接に選択したときには、給湯温度変更手段３８により、設定温度は旧温度から新温度に設定の変更がなされる（ステップＳ６）。以後シャワー等の給湯使用時には変更後の設定温度により出湯制御されることとなる。また、ほぼ同時に、給湯温度選択画面消去手段４２により、給湯温度選択画面の表示が消去される（ステップＳ７）。さらに給湯温度設定画面表示手段３９により、図６に示されるように、その変更後の給湯温度(例えば４４℃)が画面に表示され（ステップＳ８）、給湯温度の設定変更の操作は終了するのである。
【００２２】
次に、風呂温度の設定の変更を行う操作方法について説明する。
図７はマイコンにプログラムされた各種手段を説明するものであり、図において、風呂温度設定表示画面押圧検知手段４３は、浴槽への湯張り温度の設定状態を表示する画面（図２においては４０℃の部分）が人の手によってタッチされたか否かを検知して作動する手段である。この風呂温度設定表示画面押圧検知手段４３の作動により風呂温度を選択できる選択画面が表示されるようになっている。
【００２３】
次に、風呂温度選択画面表示手段４４は、風呂温度の変更操作時において希望する風呂温度を選択できるように表示画面１０に表示する手段である。表示の具体例は図８に示すように、最後に設定された設定画面の表示（４０℃の部分）を中心として、これを取り囲むように周辺に近接して複数個の数値情報を表示するようにしてある。本実施形態では、円形のドーナツ状としてドーナツ部に順次複数個の数値を昇順あるいは降順に配列している（符号Ｂ部分）。円形に限られず楕円形状あるいは四角形状としてもよい。
【００２４】
また、この表示はメニュー表示や既に設定され表示された給湯温度表示等他の設定画面の表示の上に重ねて表示されることを特徴としている。例えば他の表示の上に浮かび上がるように、半透明状態で他の表示とは明度差をつけて表示しているが、他の方法として色彩を変えて表示してもよい。また、上記風呂温度選択画面表示手段４４による表示（符号Ｂ部分）は、直接に変更可能な情報のすべて又は一部を表示することを推奨する。図８のものでは、風呂湯張りの際に通常使用される湯張り温度である３７℃から１℃きざみで４７℃まで順次数値により表示して、その範囲内にある希望の数値を１つ手でタッチすることで、希望の風呂温度を直接に選択して設定できるようになっている。「直接に」とは直接的にの意味であり、同一平面画面上において一度に希望する温度の選択操作が完結することを意味するものである。これにより、選択操作が一度の操作で終わるので、操作性を向上できる。またパネルの表示画面の面積が大きい場合には、変更可能な情報のすべてを表示すればよく、また画面の面積が小さい場合にはその一部を表示するようにすればよい。風呂温度変更手段４５は、希望の風呂温度を直接に選択したときに、旧温度から新温度に設定の変更を行う手段である。以後風呂使用時には変更後の設定温度により湯張り制御されることとなる。
【００２５】
また風呂温度設定画面表示手段４６は、風呂温度の変更を行った際にその変更後の温度を画面に表示する手段である。さらに風呂温度選択画面消去手段４７は、希望する風呂温度を直接に選択することにより風呂温度選択画面表示を消去する手段である。
【００２６】
次に、風呂温度の変更の操作について図５のフローチャートに基づき説明する。操作の手順は前述した給湯温度の変更の操作と大差ないので、同じフローチャートを用いて説明する。
【００２７】
まず運転スイッチを操作してマイコン３５を作動状態にしておく（ステップＳ１）。これによりリモコン８の表示画面１０に図２のように給湯温度等各種の情報が表示される。風呂温度情報は出荷当初においては例えば３９℃に固定しておいてもよい。そして風呂温度の設定を変更したい場合（ステップＳ２でイエスの場合）には、前記表示画面１０の風呂温度設定画面部（４０℃と表示されている部分）を指で軽くタッチすればよい（ステップＳ３）。これにより、風呂温度設定表示画面押圧検知手段４３が作動を開始して、風呂温度選択画面表示手段４４により、風呂温度を選択できる選択画面が図８のように表示される（ステップＳ４）。この表示は円形のドーナツ形状であり、ドーナツ部に順次複数個の数値を昇順に配列している（符号Ｂ部分）。また、この表示はメニュー表示や既に設定され表示された給湯温度表示等他の設定画面の表示の上に重ねて表示され、他の表示の上に浮かび上がるように、半透明状態で表示している。そして上記風呂温度選択画面表示手段４４による表示（符号Ｂ部分）は、直接に変更可能な情報のすべてを表示しており、湯張りの際に通常使用される風呂温度である３７℃から順次に１℃きざみで４７℃まで１１段階の範囲において選択できるようになっている。その範囲内にある希望風呂温度の数値を１つ指でタッチすることで(ステップＳ５でイエスの場合)、希望の給湯温度を直接に選択して設定できるようになっている。直接的な操作により、選択操作が一度の押し操作で終わるので、操作性を向上できる。
【００２８】
そして、希望の風呂温度を直接に選択したときには、風呂温度変更手段４５により、設定温度は旧温度から新温度に設定の変更がなされる（ステップＳ６）。以後浴槽への湯張り時には変更後の設定温度により湯張り制御されることとなる。また、ほぼ同時に、風呂温度選択画面消去手段４６により、風呂温度選択画面の表示が消去される（ステップＳ７）。さらに風呂温度設定画面表示手段４７により、図９に示されるように、その変更後の風呂温度(例えば４３℃)が画面に表示され（ステップＳ８）、風呂温度の設定変更の操作は終了するのである。
【００２９】
次に、時刻設定の変更を行う操作方法について説明する。
図１０はマイコンにプログラムされた各種手段を説明するものであり、図において、時刻設定表示画面押圧検知手段４８は、マイコンの時刻設定状態を表示する画面（図２においては１０時４５分の部分）が人の手によってタッチされたか否かを検知して作動する手段である。この時刻設定表示画面押圧検知手段４８の作動により現在時刻を選択できる選択画面が表示されるようになっている。
【００３０】
次に、時刻設定選択画面表示手段４９は、時刻設定の変更操作時において希望する現在時刻を選択できるように表示画面１０に表示する手段である。表示の具体例は図１１に示すように、最後に設定された設定画面の表示（１０時４５分の部分）を基点としてこれを拡大し、その一部の数値を取り囲むように周辺に近接して複数個の数値情報を表示するようにしてある。本実施形態では、円形のドーナツ状としてドーナツ部に順次複数個の数値を昇順に配列している（符号Ｃ部分）。円形に限られず楕円形状あるいは四角形状としてもよい。
【００３１】
また、この表示はメニュー表示や既に設定され表示された給湯温度表示等他の設定画面の表示の上に重ねて表示されることを特徴としている。例えば他の表示の上に浮かび上がるように、半透明状態で他の表示とは明度差をつけて表示しているが、他の方法として色彩を変えて表示してもよい。また、上記時刻設定選択画面表示手段４９による表示（符号Ｃ部分）は、直接に変更可能な情報のすべてを表示することを推奨する。図１１のものでは、時刻設定の際に使用される数字である１から１２まで順次数値により表示して、その範囲内にある希望の数値を順に手でタッチすることで、現在時刻を直接に選択して設定できるようになっている。「直接に」とは直接的にの意味であり、同一平面画面上において一度に希望する温度の選択操作が完結することを意味するものである。これにより、選択操作が一度の操作で終わるので、操作性を向上できる。時刻変更手段５０は、現在時刻を直接に選択し設定が完了したときに、設定した時刻に設定の変更を行う手段である。以後変更後の時刻により表示されることとなる。また時刻設定画面表示手段５１は、時刻の変更を行った際にその変更後の時刻を画面に表示する手段である。さらに時刻選択画面消去手段５２は、現在時刻を直接に選択し設定が完了することにより時刻選択画面表示を消去する手段である。
【００３２】
次に、時刻表示の変更の操作について図５のフローチャートに基づき説明する。操作の手順は前述した給湯温度の変更の操作と大差ないので、同じフローチャートを用いて説明する。
まず運転スイッチを操作してマイコン３５を作動状態にしておく（ステップＳ１）。これによりリモコン８の表示画面１０に図２のように給湯温度等各種の情報が表示される。時刻情報は出荷当初においては例えば０時に固定しておいてもよい。そして時刻の設定を変更したい場合（ステップＳ２でイエスの場合）には、前記表示画面１０の時刻設定画面部（１０時４５分と表示されている部分）を指で軽くタッチすればよい（ステップＳ３）。これにより、時刻設定表示画面押圧検知手段４８が作動を開始して、時刻設定選択画面表示手段４９により、現在時刻を選択できる選択画面が図１１のように表示される（ステップＳ４）。この表示は円形のドーナツ形状であり、ドーナツ部に順次複数個の数値を昇順に配列している（符号Ｃ部分）。また、この表示はメニュー表示や既に設定され表示された給湯温度表示等他の設定画面の表示の上に重ねて表示され、他の表示の上に浮かび上がるように、半透明状態で表示している。そして上記時刻設定選択画面表示手段４９による表示（符号Ｃ部分）は、直接に変更可能な情報のすべてを表示しており、時刻設定の際に使用される数字である１から１２まで順次数値により表示して、その範囲内にある希望の数値を順に手でタッチすることで、現在時刻を直接的に選択して設定できるようになっている (ステップＳ５でイエスの場合)。直接的な操作により、選択操作が一度の押し操作で終わるので、操作性を向上できる。
【００３３】
そして、希望する時刻を直接に選択し設定が完了したときには、時刻変更手段５０により、設定時刻は旧設定時刻から新設定時刻に設定の変更がなされる（ステップＳ６）。以後変更後の時刻が表示画面に表示されることとなる。また、ほぼ同時に、時刻選択画面消去手段５２により、時刻選択画面の表示が消去される（ステップＳ７）。さらに時刻設定画面表示手段５１により、その変更後の時刻が画面に表示され（ステップＳ８）、時刻の設定変更の操作は終了するのである。
【００３４】
次に、浴槽へのお湯張り湯量の変更の操作について図５のフローチャートに基づき説明する。操作の手順は前述した給湯温度の変更の操作と大差ないので、同じフローチャートを用いて説明する。
まず運転スイッチを操作してマイコン３５を作動状態にしておく（ステップＳ１）。これによりリモコン８の表示画面１０に給湯温度等各種の情報が表示される。そして風呂への湯張り湯量の設定を変更したい場合（ステップＳ２でイエスの場合）にはメニュースイッチ３４を指で軽くタッチすればよい（ステップＳ３）。これにより、図示してはいないが、風呂湯量を選択できる選択画面が表示される（ステップＳ４）。この表示は温度設定の場合と同様に、円形のドーナツ形状であり、ドーナツ部に順次複数個の数値を昇順に配列している。また、この表示は既に設定され表示された給湯温度表示等他の設定画面の表示の上に重ねて表示され、他の表示の上に浮かび上がるように、半透明状態で表示している。そして湯量選択画面表示手段による表示は、直接に変更可能な情報のすべてを表示しており、湯張りの際に通常使用される湯量範囲において適宜選択できるようになっている。その範囲内にある希望風呂湯量の数値を１つ指でタッチすることで(ステップＳ５でイエスの場合)、希望の湯量を直接に選択して設定できるようになっている。直接的な操作により、選択操作が一度の押し操作で終わるので、操作性を向上できる。
【００３５】
そして、希望の風呂湯量を直接に選択したときには、風呂湯量変更手段により、設定湯量は旧設定量から新設定量に設定の変更がなされる（ステップＳ６）。以後浴槽への湯張り時には変更後の設定量により湯張り制御されることとなる。なお、設定量は容量として設定してもよく、また浴槽の水位の高低として設定するにしてもよい。また、ほぼ同時に、風呂湯量選択画面消去手段により、風呂湯量選択画面の表示が消去される（ステップＳ７）。さらに風呂湯量設定画面表示手段により、その変更後の風呂湯量が画面に表示され（ステップＳ８）、風呂湯量の設定変更の操作は終了するのである。
【００３６】
次に、浴槽へのお湯張り後の風呂保温時間の変更の操作について、図５のフローチャートに基づき説明する。操作の手順は前述した給湯温度の変更の操作と大差ないので、同じフローチャートを用いて説明する。
まず運転スイッチを操作してマイコン３５を作動状態にしておく（ステップＳ１）。これによりリモコン８の表示画面１０に給湯温度等各種の情報が表示される。そして風呂の保温時間の設定を変更したい場合（ステップＳ２でイエスの場合）には、メニュースイッチ３４を指で軽くタッチすればよい（ステップＳ３）。これにより、図示してはいないが、風呂保温時間を選択できる選択画面が表示される（ステップＳ４）。この表示は温度設定の場合と同様に、円形のドーナツ形状であり、ドーナツ部に順次複数個の数値を昇順に配列している。また、この表示は既に設定され表示された給湯温度表示等他の設定画面の表示の上に重ねて表示され、他の表示の上に浮かび上がるように、半透明状態で表示してもよい。そして保温時間選択画面表示手段による表示は、直接に変更可能な情報のすべてを表示しており、風呂保温の際に通常使用される時間範囲において適宜選択できるようになっている。その範囲内にある希望風呂保温時間の数値を１つ指でタッチすることで(ステップＳ５でイエスの場合)、希望の保温時間を直接に選択して設定できるようになっている。直接的な操作により、選択操作が一度の押し操作で終わるので、操作性を向上できる。
【００３７】
そして、希望の保温時間を直接に選択したときには、風呂保温時間変更手段により、設定時間は旧設定から新設定に設定の変更がなされる（ステップＳ６）。以後浴槽湯の保温時には変更後の設定時間により保温制御されることとなる。また、ほぼ同時に、風呂保温時間選択画面消去手段により、風呂保温時間選択画面の表示が消去される（ステップＳ７）。さらに風呂保温時間設定画面表示手段により、その変更後の風呂保温時間が画面に表示され（ステップＳ８）、風呂保温時間の設定変更の操作は終了するのである。
【００３８】
次に、浴槽へのお湯張り時間の予約タイマの変更の操作について、図５のフローチャートに基づき説明する。操作の手順は前述した給湯温度の変更の操作と大差ないので、同じフローチャートを用いて説明する。
まず運転スイッチを操作してマイコン３５を作動状態にしておく（ステップＳ１）。これによりリモコン８の表示画面１０に給湯温度等各種の情報が表示される。そして予約タイマの設定を変更したい場合（ステップＳ２でイエスの場合）には、メニュースイッチ３４を指で軽くタッチすればよい（ステップＳ３）。これにより、図示してはいないが、タイマ時間を選択できる選択画面が表示される（ステップＳ４）。この表示は温度設定の場合と同様に、円形のドーナツ形状であり、ドーナツ部に順次複数個の数値を昇順に配列している。また、この表示は既に設定され表示された給湯温度表示等他の設定画面の表示の上に重ねて表示され、他の表示の上に浮かび上がるように、半透明状態で表示してもよい。そしてタイマ設定選択画面表示手段による表示は、直接に変更可能な情報のすべてを表示しており、タイマ設定の際に通常使用される時間範囲において適宜選択できるようになっている。その範囲内にある希望時間の数値を１つ指でタッチすることで(ステップＳ５でイエスの場合)、希望のタイマ時間を直接に選択して設定できるようになっている。直接的な操作により、選択操作が一度の押し操作で終わるので、操作性を向上できる。そして、希望のタイマ時間を直接に選択したときには、タイマ時間変更手段により、設定時間は旧設定から新設定に設定の変更がなされる（ステップＳ６）。以後浴槽湯の湯張り時には変更後の設定時間により湯張り制御されることとなる。また、ほぼ同時に、タイマ選択画面消去手段により、タイマ設定選択画面の表示が消去される（ステップＳ７）。さらにタイマ設定画面表示手段により、その変更後のタイマ時間が画面に表示され（ステップＳ８）、タイマの設定変更の操作は終了する。
【００３９】
次に、リモコンにおける操作ガイド音声の音量の変更の操作について、図５のフローチャートに基づき説明する。操作の手順は前述した給湯温度の変更の操作と大差ないので、同じフローチャートを用いて説明する。
まず運転スイッチを操作してマイコン３５を作動状態にしておく（ステップＳ１）。これによりリモコン８の表示画面１０に給湯温度等各種の情報が表示される。そして操作ガイド音声の音量の設定を変更したい場合（ステップＳ２でイエスの場合）には、メニュースイッチ３４を指で軽くタッチすればよい（ステップＳ３）。これにより、図示してはいないが、操作ガイド音声の音量を選択できる選択画面が表示される（ステップＳ４）。この表示は温度設定の場合と同様に、円形のドーナツ形状であり、ドーナツ部に順次複数個の数値を昇順に配列している。また、この表示は既に設定され表示された給湯温度表示等他の設定画面の表示の上に重ねて表示され、他の表示の上に浮かび上がるように、半透明状態で表示してもよい。そして操作ガイド音声の音量設定選択画面表示手段による表示は、直接に変更可能な情報のすべてを表示しており、操作ガイド音声の音量設定の際に通常使用される音量範囲において適宜選択できるようになっている。その範囲内にある希望音量の数値を１つ指でタッチすることで(ステップＳ５でイエスの場合)、希望の操作ガイド音声の音量を直接に選択して設定できるようになっている。直接的な操作により、音量の選択操作が一度の押し操作で終わるので、操作性を向上できる。
【００４０】
そして、希望の操作ガイド音声の音量を直接に選択したときには、音量変更手段により、設定音量は旧設定から新設定に設定の変更がなされる（ステップＳ６）。以後操作ガイドの音声は変更後の設定音量により音声ガイドされることとなる。また、ほぼ同時に、音量選択画面消去手段により、音量設定選択画面の表示が消去される（ステップＳ７）。さらに音量設定画面表示手段により、その変更後の音量が画面に表示され（ステップＳ８）、操作ガイド音声の音量変更の操作は終了する。
【００４１】
なお、上述した実施形態は本発明の好適な実施形態を示すものであって、本発明はこれに限定されることなく、その範囲内で各種設計変更可能である。例えば、本実施形態では装置内に給湯用と風呂用の熱交換器をそれぞれ設けたが、１つの熱交換器を共用して２回路の風呂給湯装置としてもよい。また、ガスを燃料とするものに限らず、石油を燃料とするものであってもよい。さらに、制御用のリモコンを浴室と浴室以外の部屋に設置したが、これに限られず１箇所のみあるいは複数箇所に設置してもよい。
【００４２】
【発明の効果】
本発明は、選択画面の中から希望する数値等をワンクリックでダイレクトに選択することができ、今までのように何度もアップスイッチあるいはダウンスイッチを押す必要もなくなり、操作性を大幅に向上させることができる。また本発明は、選択設定後の終了ボタンを押す必要もなく、設定された画面を表示させることができ、給湯温度等の変更操作の操作性をさらに向上させることができた。さらに本発明は、台所、洗面所あるいは浴室で使用するシャワー等の給湯温度に関して設定変更の操作を簡便に行うことができる。また本発明は、風呂に注湯、湯張りする浴槽湯温に関して設定変更の操作を簡便に行うことができる。さらに本発明は、選択できる情報を表示し易く、また選択し易くして、操作性の向上を図ることができる。また、一連の変更操作の操作方法を統一することにより、取扱い説明書を見なくとも一目瞭然に変更操作を行うことができる。
【図面の簡単な説明】
【図１】本発明の一実施形態を示す給湯風呂装置の全体構成図である。
【図２】本発明の一実施形態を示すリモコンの表示画面を示す図である。
【図３】本発明の一実施形態を示す電気ブロック図である。
【図４】本発明の一実施形態を示すリモコンの選択画面の表示を示す図である。
【図５】本発明の一実施形態を示すフローチャートである。
【図６】本発明の一実施形態を示す給湯温度変更後の表示画面を示す図である。
【図７】本発明の他実施形態を示す電気ブロック図である。
【図８】本発明の他実施形態を示すリモコンの選択画面の表示を示す図である。
【図９】本発明の他実施形態を示す風呂温度変更後の表示画面を示す図である。
【図１０】本発明の他実施形態を示す電気ブロック図である。
【図１１】本発明の他実施形態を示すリモコンの時刻選択画面の表示を示す図である。
【符号の説明】
１   給湯風呂装置
７   リモコン
８   風呂リモコン
９ タッチパネル
１０ 表示画面
３５ マイクロコンピュータ
３６ 給湯温度設定画面表示手段
３７ 給湯温度選択画面表示
３８ 給湯温度変更手段
３９ 給湯温度設定画面表示手段
４２ 給湯温度選択画面消去手段
【図１】
0003834813.tif 000002
【図２】
0003834813.tif 000003
【図３】
0003834813.tif 000004
【図４】
0003834813.tif 000005
【図５】
0003834813.tif 000006
【図６】
0003834813.tif 000007
【図７】
0003834813.tif 000008
【図８】
0003834813.tif 000009
【図９】
0003834813.tif 000010
【図１０】
0003834813.tif 000011
【図１１】
0003834813.tif 000012